(57)【要約】【課題】本発明は、電子写真記録装置または静電記録装置等に用いられる帯電装置において、帯電ムラを引き起こすことなくオゾン発生量を低減できる帯電装置を提供することを課題とする。【解決手段】本発明は、回転自在な像担持体に対向する開口部を有したシールド板に、鋸歯状の複数の突起を像担持体へ向けて配列した放電電極を複数枚内装し、像担持体と前記放電電極の間にグリッド電極を設けた帯電装置において、像担持体回転方向に対し上流側に位置する放電電極の突起間ピッチよりも、像担持体回転方向に対し下流側に位置する放電電極の突起間ピッチを狭くしたことを特徴とする。【選択図】図１
2004258575.tif 000002
【特許請求の範囲】
【請求項１】
回転自在な像担持体に対向する開口部を有したシールド板に、鋸歯状の複数の突起を像担持体へ向けて配列した放電電極を複数枚内装し、像担持体と前記放電電極の間にグリッド電極を設けた帯電装置において、像担持体回転方向に対し上流側に位置する放電電極の突起間ピッチよりも、像担持体回転方向に対し下流側に位置する放電電極の突起間ピッチを狭くしたことを特徴とする帯電装置。
【請求項２】
前記像担持体回転方向に対し上流側に位置する前記放電電極の突起間ピッチＰが２ｍｍ≦Ｐ≦４ｍｍ、前記像担持体の回転方向に対し下流側に位置する前記放電電極の突起間ピッチＰが１ｍｍ≦Ｐ≦３ｍｍの範囲にあることを特徴とする請求項１に記載の帯電装置。
【請求項３】
前記複数枚の放電電極の突起を千鳥状に配列したことを特徴とする請求項１に記載の帯電装置。
【発明の詳細な説明】
【０００１】
【発明の属する技術分野】
本発明は、電子写真記録装置または静電記録装置等で用いられ、コロナ放電現象を利用して被帯電物を均一に帯電するコロナ放電帯電装置に関するものである。
【０００２】
【従来の技術】
従来の電子写真記録装置または静電記録装置に用いられる帯電装置においては、ワイヤ電極を用いたワイヤ電極方式と、鋸歯状電極、針状電極、櫛状電極等の突起状電極を用いたピン放電方式とが使用されている。ピン放電方式はワイヤ放電方式よりもオゾンの発生量が少ないことが知られている（例えば、特許文献１参照。）。
【特許文献１】
特許第３２３５３８１号明細書
【０００３】
【発明が解決しようとする課題】
しかしながら、ピン放電方式の帯電装置においては、電極先端部分に放電が集中するため、突起間のピッチが広すぎると電極先端に近い部分と遠い部分とでの被帯電体の表面電位の差が顕著になってしまう。（以後この現象を帯電ムラと称す。）また、突起間のピッチが狭くなると放電電極の数が増えるためオゾンの発生量が増大してしまうという問題がある。
【０００４】
本発明の目的は、このような帯電装置において上記問題点を解消し、帯電ムラを引き起こすことなくオゾン発生量を抑えることの出来る帯電装置を提供することである。
【０００５】
【課題を解決するための手段】
上記の目的は、回転自在な像担持体に対向する開口部を有したシールド板に、鋸歯状の複数の突起を像担持体へ向けて配列した放電電極を複数枚内装し、像担持体と前記放電電極の間にグリッド電極を設けた帯電装置において、像担持体回転方向に対し上流側に位置する放電電極の突起間ピッチよりも、像担持体回転方向に対し下流側に位置する放電電極の突起間ピッチを狭くすることによって達成される。
【０００６】
【発明の実施の形態】
図１は本発明の一実施例に基づく帯電装置を示す図である。感光体ドラム１に対向した開口部を有するシールド板２に、鋸歯状の複数の突起を感光体ドラム１へ向けて配列した放電電極３ａ、３ｂを内装し、感光体ドラム１と前記放電電極３ａ、３ｂの間にグリッド電極４が配設されている。
【０００７】
図１に示した帯電装置を有する電子写真式印刷装置を使用し、鋸歯状放電電極の突起間ピッチの設定条件を変更して実験を行うことにより、帯電ムラが少なく且つオゾン発生量を抑えることの出来る条件を求めた。
【０００８】
ここで先ず、実験に用いた電子写真式印刷装置の構成及び画像形成動作について説明する。図２は電子写真式印刷装置の画像形成部を示す要部断面図である。この電子写真式印刷装置は、矢印方向に回転する感光体ドラム１と、その周辺に配置されたイレーサ５、帯電器６、図示しない光学系、現像機８、転写チャージャー９、分離チャージャー１０、クリーニング装置１１等から構成されている。感光体ドラム１はイレーサ５によって除電された後、帯電器６により一様に帯電される。更に、図示しない光学系から照射された画像光７により露光され、感光体ドラム１上に静電潜像が形成される。その後、トナーを収容した現像機８により現像され、静電潜像をトナー画像化する。図示しない転写材に前述の現像機８により現像されたトナー画像が、転写チャージャー９により感光体ドラム１から転写される。トナー画像を転写された転写材は、分離チャージャー１０により静電的な吸着力を弱められ、感光体ドラム１から分離される。更にこの後、感光体ドラム１に残留したトナーはクリーニング装置１１で回収され、転写材は、図示しない定着装置に搬送され、画像を定着された後、同様に図示しない排出装置により装置本体から排出される。
【０００９】
表１に前述の電子写真式印刷装置を用いて実験を行った結果を示す。帯電ムラの評価は帯電器に起因する画像の乱れ及び縦筋が印刷物に入っていない場合は帯電ムラがないとし○、入っている場合には×で評価した。また、オゾン発生量の評価は本実験で設定した条件下での相対評価とし、オゾン発生量が最も少なかった条件を○、最も多かった条件を×とし、その中間の条件を△で評価した。
【００１０】
【表１】
2004258575.tif 000003
【００１１】
表１の結果より、感光体ドラム１の回転方向に対し上流側に位置する放電電極の突起間ピッチを広くしても、感光体ドラム１の回転方向に対し下流側に位置する放電電極の突起間ピッチを狭くすれば帯電ムラは起こらない。また、放電電極の突起数を減らせばオゾンの発生量を減らすことが出来る。従って、感光体ドラム１の回転方向に対し上流側に位置する放電電極の突起間ピッチよりも、感光体ドラム１の回転方向に対し下流側に位置する放電電極の突起間ピッチを狭くすることにより、帯電ムラを引き起こすことなくオゾン発生量を低減することが出来る。
【００１２】
【発明の効果】
本発明によれば、像担持体回転方向に対し上流側に位置する放電電極の突起間ピッチよりも、像担持体回転方向に対し下流側に位置する放電電極の突起間ピッチを狭くすることにより、帯電ムラを引き起こすことなくオゾン発生量を低減出来る。また、オゾン発生量を低減することによりオゾンフィルターの劣化を抑制し、オゾンフィルターの寿命を延命できる。
【図面の簡単な説明】
【図１】本発明の帯電装置の一実施例を示す一部斜視図である。
【図２】図１に示す帯電装置を有する電子写真式印刷装置の画像形成部の要部断面図である。
【図３】本発明に係る帯電装置に備えられた鋸歯状放電電極を示す側面図である。
【符号の説明】
１…感光体ドラム、２…シールド板、３ａ…上流側放電電極、３ｂ…下流側放電電極、４…グリッド電極、５…イレーサ、６…帯電器、７…露光方向、８…現像機、９…転写チャージャー、１０…分離チャージャー、１１…クリーニング装置、１２…鋸歯状放電電極。
【図１】
2004258575.tif 000004
【図２】
2004258575.tif 000005
【図３】
2004258575.tif 000006